(57)【要約】      （修正有）【課題】便座に固定されたクッション台座により便座と便器本体にできる隙間から小水が漏れないようにする簡単な便器用小水漏れ防止具及びそれを取り付けた洋式便器を提供する。【解決手段】便座２と便器本体の間に生ずる隙間から、小水が便器本体から漏れないようにするため、上面と側面を略直角とし、かつ、便座の形状に合わせ湾曲にさせて形成し、上面を便座裏面２３に固定し、側面が便座２と便器本体の間に生ずる隙間を覆うように便器本体の内側に配置できる便器用小水漏れ防止具５（５３、５４）である。【選択図】図７
0003204082.tif 000002
【実用新案登録請求の範囲】
【請求項１】
便座と便器本体の間に生ずる隙間から、小水が便器本体から漏れないようにするため、上面と側面を略直角とし、かつ、便座の形状に合わせて湾曲に形成し、上面を便座裏面に固定し、側面が便座と便器本体の間に生ずる隙間を覆うように便器本体の内側に配置される便器用小水漏れ防止具。
【請求項２】
高分子材料で製造された請求項１の便器用小水漏れ防止具。
【請求項３】
便座の形状に合わせ、前方用と側方用とに区分けした請求項１又は請求項２のいずれかの便器用小水漏れ防止具。
【請求項４】
請求項１から請求項３のいずれかの便器用小水漏れ防止具を取り付けた洋式便所
【考案の詳細な説明】
【技術分野】
【０００１】
本考案は、洋式便器において、小用を足すときに、便器本体の外側へ小水が漏れないようにするための便器用小水漏れ防止具に関するものである。
【背景技術】
【０００２】
磐田袋井掛川各市上水道指定工事者として長年地域の上水道の世話をしてきた本考案者は、「トイレで水漏れしている。」との電話があり、駆けつけてみると、『あー、またか』と呟く場面に多く出くわした。
【０００３】
女性は無論であるが、男性でも、便座の汚れを避けるため、便座に座って小用を足すことが多くなっている。便座と便器本体は、便座に固定されているクッション台座が便器本体の上に載り、便座と便器本体には隙間が生じている。この隙間から小水が便器本体の外側に漏れ、それを住人は水漏れと勘違いしていたのである。本考案者がそれを説明しても、なかなか理解してもらえず、やっと理解されると、住人どうしが、「お前がしたんだ。」とか「お前が不注意だからだ。」とか内輪もめになってしまうこともあった。
図１に洋式便器の各部名称を、図２に便座に固定されたクッション台座により便座と便器本体に隙間ができている写真を示す。図２(Ａ)は前方、(Ｂ)は、側方の隙間を示す。前方とは、便座に人が座るときの前方向をいい、側方とは左右方向をいう。以下同様。また、図１において、メーカー名が記載されている箇所は消しているが、他の図も同様である
【０００４】
洋式便器は各社が販売しているが、その基本構造は、蓋部、便座、便器本体からできている。本考案者は、どの洋式便器でも使用できる小水漏れ防止具がないか思案してきたが、簡単な小水漏れ防止具を試作し、自分や家族でも試しその目的を達することができることが分り、本考案を提出するものである。  
【０００５】
先行技術を探すと以下のようなものが見受けられた。不使用時および座式としての使用時には便器内の水にその大部分が浸漬され、立式としての使用時には便座と一体にはね上げられ飛散防止空間を便座の前下方に構成する、飛散防止板を便座の左右下部に配設し該便座に固定する。飛散防止板は可撓性の材料で形成されることができ、座式としての使用時には、便器の内側形状に応じて撓められコンパクトになる飛散防止便器（特許文献１）、便器本体と、便座と、蓋部からなる洋風便座において、便器本体の上端面と便座との間に設けられた三日月型の２枚の彎曲した長板を拡張移動する可動式飛散防止板を装備し、また、便座先端の内側裏面に便器本体の上端面に達する凸片壁を設けることにより、尿の飛散の防止、便器本体と便座の間から飛沫を防止することができる飛散防止板付き洋式便器（特許文献２）、便器の便蓋や便座に、大便や小便の飛散物、飛沫や跳ね返り物等の汚物が付着を阻止する汚物付着防止壁を備えた便蓋用把手及び便座用把手を設ける洋式便器（特許文献３）等があった。
【先行技術文献】
【特許文献】
【０００６】
【特許文献１】特開２００１−４０７３０号公報
【特許文献２】特開２０１２−２１９５９５号公報
【特許文献３】特開２００１−６１７０７号広報
【０００７】
上記各先行技術において、特許文献１及び２は、構造が複雑であり、備え付けるためには、専門の業者の手を借りる必要があり、特許文献３は、小水漏れ防止が主目的ではなく、小水が便器本体より漏れてしまう恐れがあった。
【考案の概要】
【考案が解決しようとする課題】
【０００８】
本考案の解決しようとする課題は、洋式便器において、便座に固定されたクッション台座により便座と便器本体にできる隙間から小水が漏れないようにするとともに、誰にでも便座に装着できる簡単な小水漏れ防止具を提供することである。
【課題を解決するための手段】
【０００９】
すなわち、第１の考案は、便座と便器本体の間に生ずる隙間から、小水が便器本体から漏れないようにするため、上面と側面を略直角とし、かつ、便座の形状に合わせて湾曲に形成し、上面を便座裏面に固定し、側面が便座と便器本体の間に生ずる隙間を覆うように便器本体の内側に配置される便器用小水漏れ防止具である。
【００１０】
便座２と便器本体４は、便座２に固定されているクッション台座２１が便器本体４に載り、便座２と便器本体４には隙間２２が生じている。この隙間２２から小水が便器本体４の外側に漏れる場合が生じる。
重複するが、図１に洋式便器１の各部品の名称、図２に便座２の裏面２３に固定されたクッション台座２１により便座と便器本体に隙間２２の写真図を示す。
本考案の便器用小水漏れ防止具５は、この隙間２２から小水が便器本体４から漏れることを防ぐため、便器本体４の内側に便座と便器本体の間の隙間２２を覆うような壁を配置するものである。
【００１１】
図３に便器用小水漏れ防止具５の概略図を示す。便器用小水漏れ防止具５の断面は、Ｌ字型であり、便座２の裏面２３に固定する上面と便器本体４の内側に便座２と便器本体４に隙間２２を覆うように壁を作る側面５２が略直角で、かつ、全体が便座２の形状に合わせ湾曲に形成されている。便器本体の内壁の形状は、メーカーにより異なり、上面と側面が略直角とは、７０度〜１２０度の範囲をいう。
便器用小水漏れ防止具５の長さ、上面５１の幅、側面５２の幅は適宜決められる。便座２の裏面２３に上面５１を固定する方法は、両面テープあるいは接着剤により接着する方法等があり、任意である。
【００１２】
続いて、第２の考案は、高分子材料で製造された第１の考案の便器用小水漏れ防止具である。
【００１３】
便器用小水漏れ防止具１は、小水の飛沫も便器本体４の外側へ漏れないようにする必要があり、小水があたり飛沫になるような硬い材料例えば金属等は好ましくはない。便器用小水漏れ防止具５は、ゴムのような弾力を持った材料が好ましく、高分子材料を使用するものである。
【００１４】
続いて、第３の考案は、便座の形状に合わせ、前方用と側方用とに区分けした第１の考案又は第２の考案のいずれかの便器用小水漏れ防止具である。
【００１５】
便座とその下にある便器本体の平面的な形状は、前方と側方では、湾曲の程度が異なっている。前面では大きく湾曲しているが、側面では湾曲の程度が少ない。重複するが、前方とは人が座っている前方をいい、側方とは人の左右方向をいう。
便器用小水漏れ防止具１が、便座の形状に合わない場合には、便器用小水漏れ防止具５の側面５２と便器本体４の間に生ずる隙間から小水の飛沫が便器本体４の外側に漏れ出す恐れがある。そこで、湾曲の度合いを変えた前方用５３と側方用５４の便器用小水漏れ防止具５を用意するものである。
【００１６】
続いて、第４の考案は、第１の考案から第３の考案のいずれかの便器用小水漏れ防止具を取り付けた洋式便所である。
【００１７】
第１の考案から第３の考案に係る便器用小水漏れ防止具５，５３、５４は、構造が簡単で製造しやすい。そのため、便器用小水漏れ防止具を取り付けた洋式便所も保護するためである。
【考案の効果】
【００１８】
第１の考案は、便座と便器本体の間に生ずる隙間から、小水が便器本体から漏れないようにするための便器用小水漏れ防止具を提供するものである。第２の考案は、第１の考案をより効果的にするため、小水の飛沫も便器本体から漏れないようにするためであり、第３の考案は、便座の形状に便器用小水漏れ防止具を合わせ、より小水が便器本体から漏れないようにするものである。第４考案は、第１考案から第３考案の便器用小水漏れ防止具を取り付けた洋式便器を保護するものである。
【図面の簡単な説明】
【００１９】
【図１】図１は、洋式便器の各部品の名称を示す写真である。
【図２】図２は、便座に固定されたクッション台座により便座と便器本体に隙間ができている写真である。
【図３】図３は、便器用小水漏れ防止具の概略図である。
【図４】図４は、便器用小水漏れ防止具の内、前方用小水漏れ防止具の試作品の写真である。
【図５】図５は、便器用小水漏れ防止具の内、側方用小水漏れ防止具の試作品の写真である。
【図６】図６は、前方用小水漏れ防止具と、側方用小水漏れ防止具の試作品の比較写真である。
【図７】図7は、便器用小水漏れ防止具の前方用小水漏れ防止具と、側方用小水漏れ防止具の試作品が便座裏面に固定されている写真である。
【図８】図８は、便器用小水漏れ防止具を便座に固定したときの便器本体内部から見た写真である。
【図９】図９は、便器用小水漏れ防止具を便座に固定したときの便器本体の外部から見た写真である。
【図１０】図１０は、便器用小水漏れ防止具を形成するための型枠と、形成された便器用小水漏れ防止具の写真である。
【図１１】図１１は、便器用小水漏れ防止具の材料として使用するシリコン系シーリング剤の写真である。
【考案を実施するための形態】
【００２０】
以下に本考案の実施例を挙げる。
【実施例１】
【００２１】
図４は、便器用小水漏れ防止具５の内の前方用小水漏れ防止具５３の試作品の写真である。図４の（Ａ）は平面、（Ｂ）は背面から撮った写真である。
図４の（Ａ）において、上面５１には両面テープにて便座の裏面２３に固定するため、透明のプラスチックフィルム５５が粘着されている。（Ｂ）では、上面５１及び側面５２の裏面が現されている。
【００２２】
図５は、便器用小水漏れ防止具５の内の側方用小水漏れ防止具５４の試作品の写真である。図５の（Ａ）は平面、（Ｂ）は背面から撮った写真である。
図５の（Ａ）において、上面５１には両面テープにて便座の裏面２３に固定するため、透明のプラスチックフィルム５５が粘着されている。（Ｂ）では、上面５１及び側面５２の裏面が現されている。
【００２３】
図６は、前方用小水漏れ防止具５３と、側方用小水漏れ防止具５４の試作品の比較写真である。向かって左側が側面用小水漏れ防止具５４であり、右側が前方用小水漏れ防止具５３である。両者を比較すると、前者に比べ後者は湾曲の程度が大きく形成されている。便座２は前方に行くに従い湾曲しているため、これに合わせたものである。
【実施例２】
【００２４】
図７は、便器用小水漏れ防止具５の前方用小水漏れ防止具５３と、側方用小水漏れ防止具５４の試作品が便座２裏面２３に固定されている写真である。各小水漏れ防止具５３、５４は、両面テープにより固定されている。
なお、重複するが、便器用小水漏れ防止具５と便座２裏面２３との固定方法は両面テープに限られるものではなく、接着剤の使用等他の固定方法でもよい。
【００２５】
図８は、便器用小水漏れ防止具を便座に固定したときの便器本体内部から見た写真である。図８(Ａ)は、便器用小水漏れ防止具５の内前方用小水漏れ防止具５３が固定され、(Ｂ)は、側方用小水漏れ防止具５４が固定されている。
【００２６】
図９は、便器用小水漏れ防止具を便座に固定したときの便器本体の外部から見た写真である。図９(Ａ)は前方、(Ｂ)は側方の写真である。
【００２７】
考案者等は、この試作した便器用小水漏れ防止具５を自ら使用し、また前述の水漏れと勘違いした人たちにも使用してもらった。その結果、小水が便器本体から漏れる現象は見られなかった。
【実施例３】
【００２８】
図１０は、便器用小水漏れ防止具を形成するための型枠６と、形成された便器用小水漏れ防止具５の内、前方用小水漏れ防止具５３の写真である。先ず型枠６表面に図示しない剥離剤を吹きかけ、図１１に示す高分子材料であるシリコン系シーリング剤を型枠の中に塗りこみ、余剰のシリコン系シーリング剤をヘラで除去し、便器用小水漏れ防止具５を形成し製造する。なお、シリコン系シーリング剤が固化しないうちに上面にプラスチックフィルム５５を貼り付ける場合もある。この材料を使用する製造方法は、１例に過ぎず、この材料や製造方法に限定するものではなく、材料や製造方法は任意である。
【産業上の利用可能性】
【００２９】
構造は極めて簡単ではあるが、洋式便器が一般化された現在、こうした便器用小水漏れ防止具は多く必要とされ、日常生活に欠かせないものとなると思われる。
【符号の説明】
【００３０】
１    洋式便器
２    便座    ２１  クッション台座    ２２  便座と便器本体の隙間
２３  便座裏面
３    蓋部
４    便器本体
５    便器用小水漏れ防止具  ５１ 上面  ５２ 側面  
５３前方用小水漏れ防止具  ５４  側面用小水漏れ防止具
５５  プラスチックフィルム  ５６  上面と側面の成す角
６  便器用小水漏れ防止具の型枠
７  シーリング剤
【図１】
0003204082.tif 000003
【図２】
0003204082.tif 000004
【図３】
0003204082.tif 000005
【図４】
0003204082.tif 000006
【図５】
0003204082.tif 000007
【図６】
0003204082.tif 000008
【図７】
0003204082.tif 000009
【図８】
0003204082.tif 000010
【図９】
0003204082.tif 000011
【図１０】
0003204082.tif 000012
【図１１】
0003204082.tif 000013